(57)【特許請求の範囲】
【請求項１】
複数の電極を備え、絶縁体からなる基板の前記電極に対応する領域に試料を堆積する試料堆積装置であって、
前記試料を噴霧する噴霧手段と、
前記試料を帯電させる電荷付与手段と、
前記帯電している試料の極性と逆の極性の電位を印加する第１電源と、
前記帯電している試料の極性と同じ極性の直流電位、または、交流電位を印加する第２電源と、
前記各電極と前記第１電源とを接続するか、前記第２電源と接続するかを選択する選択接続手段と、
噴霧された試料を所定の方向に誘導する誘導部材と、
前記帯電している試料の極性と同じ極性の電位、または、接地電位を前記誘導部材に印加する第３電源とを備え、
前記誘導部材は、試料が堆積される領域との距離が一定となる誘導面を備える
試料堆積装置。
【発明の詳細な説明】
【技術分野】
【０００１】
本発明は、生化学的検査に供される微量の試料を基板上に堆積しうる試料堆積方法、試料堆積装置に関し、特に、マスク部材を使用することなく、種類の異なる試料を同一基板上に多数堆積することのできる試料堆積方法、試料堆積装置に関する。
【背景技術】
【０００２】
近年、マイクロアレイ、ＤＮＡチップ、蛋白質チップ、有機化合物チップ等（以下、代表して「マイクロアレイ」と記す）と称されるものが、ＤＮＡの解析やゲノム創薬の分野で注目を集めている。このマイクロアレイは、光学顕微鏡用スライドガラス程度の大きさの基板上に、相互に種類や特性の異なる微量の試料（蛋白質など）をマトリクス状に配置したものである。従って、このマイクロアレイ全体に対し何らかの薬品などを作用させることで、前記薬品に反応する試料を検出することが可能となる。以上のように、マイクロアレイは、大量の試験を一度に行い、その結果を一目で確認することができるものである。
【０００３】
特に、ＤＮＡに関するマイクロアレイなどを製造する場合、多くの種類の試料を一枚の基板上に配置する必要があるため、一つの試料（ＤＮＡの一部）が基板上で占める領域は、ミクロンオーダーとなる場合もある。
【０００４】
上記マイクロアレイを製造する場合、つまり、基板上に複数種類の試料を堆積させ配置するには、所定の微小な領域に目的の種類の試料のみを堆積する必要がある。
【０００５】
従来のマイクロアレイの製造装置は、図９（ａ）に示すように、噴霧手段で帯電した試料１を噴霧し、微小な孔を備えたマスク２に電位を与え、当該マスク２の孔を通過した試料を基板上３に堆積させることによって、基板上の微小な領域にのみ目的とする試料１を堆積するものである。そして、噴霧する試料１の種類を変更し、マスク２と基板３との相対位置を変更することで、異なる種類の試料１をマトリクス状に配置している（特許文献１参照）。
【特許文献１】特開２００１−２８１２５２号公報
【発明の開示】
【発明が解決しようとする課題】
【０００６】
ところが、従来のマイクロアレイの製造装置のように、微小な孔を備えたマスク２を用い、帯電させた（または自然に帯電した）マスク２の孔に試料１を通過させて基板上３に堆積させると、図９（ｂ）に示すように、堆積した試料１の周縁が立ち上がったようになる場合がある。これは、マスク２の微小孔の外側に到達してきた試料１が、帯電したマスク２と反発しあって微小孔に集まり、そのまま微小孔を通過して堆積するためと考えられる。
【０００７】
以上のように均一に堆積されない試料が配置されたマイクロアレイは、何らかの試験に供された場合に、適正な反応を示さない場合があり、マイクロアレイとしての性能が保証できない状態となる。
【０００８】
本発明は、上記課題に鑑みなされたものであり、マスクを用いることなく試料を基板上の微小領域に均一に堆積させることができる試料堆積方法、及び、試料堆積装置の提供を目的とする。
【課題を解決するための手段】
【０００９】
上記目的を達成するために、本願発明にかかる試料堆積方法は、複数の電極を備え、絶縁体からなる基板上の所定の領域に試料を堆積させる試料堆積方法であって、前記試料を噴霧する噴霧ステップと、前記試料を帯電させる帯電ステップと、前記基板上の所定の領域に対応する電極に、前記帯電している試料の極性と逆の極性の電位を印加する逆極性電位印加ステップと、所定の領域に対応する前記電極と隣り合う電極に、前記帯電している試料の極性と同極性、または交流の電位を印加する忌避電位印加ステップとを含むことを特徴とする。
【００１０】
また、本願発明にかかる試料堆積装置は、複数の電極を備え、絶縁体からなる基板の前記電極に対応する領域に試料を堆積する試料堆積装置であって、前記試料を噴霧する噴霧手段と、前記試料を帯電させる電荷付与手段と、前記帯電している試料の極性と逆の極性の電位を印加する第１電源と、前記帯電している試料の極性と同じ極性の直流電位、または、交流電位を印加する第２電源と、前記各電極と前記第１電源とを接続するか、前記第２電源と接続するかを選択する選択接続手段とを備えることを特徴とする。
【００１１】
これにより、マスクを用いることなく基板上の所定の領域に均一に試料を堆積することが可能となる。
【００１２】
さらに、噴霧された試料を所定の方向に誘導する誘導部材と、前記帯電している試料の極性と同じ極性の電位、または、接地電位を前記誘導部材に印加する第３電源とを備えることが好ましい。
【００１３】
これにより、噴霧された試料を所定の方向に誘導することが可能となり、試料の噴霧量に対する基板上の堆積量を向上させることが可能となる。
【００１４】
前記誘導部材は、試料が堆積される領域との距離が一定となる誘導面を備えることが好ましい。
【００１５】
これにより、基板上の所定の領域に向かうように噴霧された試料を誘導することが可能となる。
【００１６】
さらに、噴霧された試料を所定の範囲に収束するよう誘導する環状の収束部材と、前記帯電している試料の極性と同じ極性の電位、または、接地電位を前記収束部材に印加する第４電源とを備えることが好ましい。
【００１７】
これにより、噴霧された試料を微小な領域に収束させることができ、基板上の微小な領域に試料を堆積することが可能となる。従って、多くの試料が堆積された基板を製造することが可能となる。
【００１８】
さらに、噴霧された前記試料を吸着する吸着部材と、前記帯電している試料の極性と逆の極性の電位を印加する吸着電源とを備えることが好ましい。
【００１９】
これにより、同一の試料堆積装置でことなる試料を連続して堆積させる場合、試料の変わり目で試料の噴霧空間を清浄にすることができ、次に堆積する試料の汚染を防止することが可能となる。
【発明の効果】
【００２０】
本願発明によれば、基板上の所定の領域に試料を均一に堆積させることが可能となる。
【発明を実施するための最良の形態】
【００２１】
次に、本発明に係る試料堆積装置について、図面を参照しつつ説明する。
【００２２】
図１は、試料堆積装置を概略的に示す、一部破断して示す断面図である。
【００２３】
同図に示すように、試料堆積装置１００は、試料を噴霧し、噴霧した試料を所定の領域にのみ堆積させる装置であり、噴霧手段としてのキャピラリ１０１と、電荷付与手段１１０と、第１電源１０２と、第２電源１０３と、接続選択手段（図示せず）と、誘導部材１０４と、第３電源１０５と、収束部材１０６と、第４電源１０７と、チャンバ１０８と、第５電源１０９と、ポンプ１３１と、圧力調整手段１３２と、開閉弁１３３と、ＸＹステージ１３５とを備えている。また、ＸＹステージ１３５上にはサンプルチップ２００が載置されている。
【００２４】
キャピラリ１０１は、内部に貯留された試料を噴霧することのできる装置であり、テーパ形状の先端に噴霧用の微小な孔が設けられたノズル部と、試料を貯留し前記ノズル部と連通する円筒状の貯留部とを備えている。キャピラリ１０１は、チャンバ１０８の天井から垂れ下がるＬ字状の取り付け部材に着脱可能に取り付けられている。キャピラリ１０１は、キャピラリ１０１の先端とＸＹステージ１３５上に載置されるサンプルチップ２００との距離が１０mm以上５００mm以下の範囲に入るように配置されることが好ましい。サンプルチップ２００とキャピラリ１０１との距離が１０mm未満であれば、キャピラリ１０１から噴霧した試料が収束しきれずに所定の領域に試料を堆積するのが困難となる。一方、前記距離が５００mmよりも長くなれば、噴霧された試料を収束させるために必要な電圧が非常に大きくなり、異常放電などが発生する。設備自体が大型化するため、コストが上昇する。これらにより、現実的な設備を構築するのが困難になる。なお、前記距離の好適な範囲は、１００mm以上、３００mm以下である。このキャピラリ１０１は、ロボット（図示せず）または手動により、他の種類の試料が貯留されたキャピラリなどと容易に交換することが可能となっている。
【００２５】
電荷付与手段１１０は、試料に電荷を付与するための装置であり、本実施の形態ではキャピラリ１０１に貯留される試料に対し電荷を付与するものとなっている。電荷付与手段１１０は、棒電極１１１と、第６電源１１２とを備えている。
【００２６】
棒電極１１１は、試料と直接接触し、直接試料に電荷を付与するものであり、キャピラリ１０１の内部の試料に浸漬される棒形状の金属電極である。
【００２７】
第６電源１１２は、試料に電荷を供給するための直流電源であり、本実施の形態の場合、試料に対し負の電荷を供給する、つまり、試料を負に帯電させるものとなっている。なお、第６電源１１２は、棒電極１１１を接地電位（０Ｖ）に維持すると共に棒電極１１１に電荷を供給し続ける機能も備えている。
【００２８】
第１電源１０２は、前記帯電している試料の極性と逆の極性、本実施の形態の場合、正の極性の電位をサンプルチップ２００が備える複数の電極に印加する直流電源である。第１電源１０２がサンプルチップ２００のいずれの電極に電位を印加するかは接続選択手段により決定される。なお、接続選択手段については後述する。
【００２９】
第２電源１０３は、第１電源１０２と接続されている電極以外の電極（例えば第１電極と接続されている電極と隣り合う電極）に交流電位を印加する交流電源である。
【００３０】
なお、第２電源１０３は、前記帯電している試料の極性と同極性、本実施の形態の場合、負の極性の電位を付与する直流電源であっても構わない。
【００３１】
誘導部材１０４は、キャピラリ１０１から噴霧された試料の極性と同じ極性（本実施の形態では負）の電位、または、接地電位が印加されることで、噴霧され乱雑に飛行しようとする試料を電場の形成により所定の方向に誘導する部材である。誘導部材１０４は、中空の真球の一部の形状であり、いわゆるお椀を伏せた状態でチャンバ１０８につり下げられた状態で取り付けられている。誘導部材１０４の上端部には円形の孔が設けられており、当該孔の中心にキャピラリ１０１が配置されている。換言すれば、前記孔の中心に配置されているキャピラリ１０１を取り囲むように誘導部材１０４が配置されている。誘導部材１０４の内面は、試料が堆積される領域、本実施の形態においては、ＸＹステージ１３５に載置されたサンプルチップ２００の所定の領域と距離が一定となる形状であり、かつ、前記所定の領域と距離が一定となる位置に配置されている。そして、誘導部材１０４の内面は、試料を誘導する電気力線が発生する誘導面として機能する。また、チャンバ１０８と誘導部材１０４とは絶縁状態となっている。
【００３２】
この誘導部材１０４の存在により、噴霧された試料の量に対する堆積した試料の量を向上させることが可能となる。
【００３３】
第３電源１０５は、前記帯電している試料の極性と同極性、本実施の形態の場合、負の極性の電位を誘導部材１０４に付与する電源である。なお、第３電源１０５は、誘導部材１０４を接地電位（０Ｖ）に維持する機能も備えている。
【００３４】
収束部材１０６は、キャピラリ１０１から噴霧された試料の極性と同じ極性の電位、または、接地電位が印加されて電場を形成し、誘導部材１０４により誘導された試料をさらに収束させるための部材である。収束部材１０６は、円環形状となされ、試料が堆積する領域と誘導部材１０４の下端縁とを結んだ逆円錐形状（同図中１点鎖線で示す）を取り囲むように配置されている。収束部材１０６は、チャンバ１０８の床面に立設される支柱に取り付けられており、チャンバ１０８とは絶縁状態となっている。なお、本実施の形態では収束部材１０６の周方向と直交する断面は、矩形が採用されているが、円形や楕円形など任意の形状を選択しうる。また、本実施の形態では収束部材１０６は、同図中の一点鎖線の外に配置しているが、一点鎖線にかかるように配置しても、一点鎖線の内部に配置しても構わない。また、同図中一点鎖線は仮想的な線である。
【００３５】
この収束部材１０６の存在により、試料が堆積する領域の大きさを調整することが可能となる。従って、サンプルチップ２００の電極（後述）の大きさと、収束部材１０６により収束させる試料の領域とをほぼ一致させると、試料が堆積する際の均一性をより向上させることが可能となる。また、堆積領域の調整は、サンプルチップ２００と収束部材１０６との距離、収束部材１０６の径、収束部材１０６に印加する電位の三つのパラメータを調整することにより行われる。
【００３６】
第４電源１０７は、前記帯電している試料の極性と同極性、本実施の形態の場合、負の極性の電位を収束部材１０６に付与する直流電源である。なお、第４電源１０７は、収束部材１０６を接地電位（０Ｖ）に維持する機能も備えている。
【００３７】
チャンバ１０８は、試料にほこりなどが混入することを回避するための箱体であり、少なくとも内面は、導電性の物質で構成されている。チャンバ１０８は、試料を堆積している状態では、試料と同極性の電位、または、接地電位が付与され、試料の堆積に必要な電場の形成に寄与している。また、チャンバ１０８は、試料の堆積が終了した状態では、試料と逆極性の電位が付与され、チャンバ１０８内の空間に残存する試料を吸着して、チャンバ１０８内の清浄度を上昇させる。つまり、チャンバ１０８が吸着部材として機能する。また、種々の部材が帯電し、コロナ放電など異常な放電の発生が懸念されるときは、チャンバ１０８に交流電圧が付与され、種々の部材の除電が行われる。
【００３８】
第５電源１０９は、上記のように、極性を切り替えて直流電圧をチャンバ１０８に印加したり、交流電圧をチャンバ１０８に印加したりすることのできる電源である。なお、チャンバ１０８が吸着部材として機能する際は、第５電源１０９は、吸着電源として機能する。また、第５電源１０９は、上述の通り、チャンバ１０８を接地電位（０Ｖ）に維持する機能も備えている。
【００３９】
ポンプ１３１は、キャピラリ１０１から試料を噴霧するために必要な圧力を圧縮空気として供給するポンプである。
【００４０】
圧力調整手段１３２は、ポンプ１３１から供給される圧縮空気の圧力を調整し、試料の噴霧に最適な圧力とする絞り弁である。
【００４１】
開閉弁１３３は、圧縮空気をキャピラリ１０１に供給するか否かを決定する弁である。なお、開閉弁１３３、及び、圧力調整手段１３２は、制御装置（図示せず）により制御されている。
【００４２】
ＸＹステージ１３５は、サンプルチップ２００が載置され、サンプルチップ２００を水平方向に移動させることができるテーブルである。
【００４３】
図２は、サンプルチップ２００を概念的に示す図であり、（ａ）は上面図、（ｂ）は正面図である。
【００４４】
同図に示すように、サンプルチップ２００は、複数の試料が堆積される部材であり、基板２０１と、電極２０２と、端子２０３と、接続部２０４とを備えている。
【００４５】
基板２０１は、サンプルチップ２００の土台となる部材であり、絶縁性を備える透明なガラスで構成されている。
【００４６】
電極２０２は、試料が堆積される領域を規定する部材であり、導電性を備える透明な材料（例えばＩＴＯ（Indium Tin Oxide））で構成されている。電極２０２は、基板２０１の表面に設けられている。
【００４７】
以上のように、基板２０１と電極２０２が透明であれば、堆積した試料を透過型の光学顕微鏡で観察することが可能となる。
【００４８】
端子２０３は、接続選択手段と接続するための端子であり、電極２０２と同様ＩＴＯで構成されている。
【００４９】
接続部２０４は、電極２０２と端子２０３とを電気的に接続する部分であり、ＩＴＯで構成されている。
【００５０】
なお、本実施の形態では基板２０１、電極２０２とも透明の材料で構成したが、特に限定されるものではない。本発明にかかる試料堆積装置１００は、サンプルチップ２００を構成する材質は問わない。
【００５１】
図３は、サンプルチップと接続選択手段とを概念的に示す正面図であり、（ａ）は外観図、（ｂ）は回路図である。
【００５２】
同図に示すように、サンプルチップ２００の端子２０３と接続選択手段１２０とは、着脱自在となされ、サンプルチップ２００と接続選択手段１２０とが離れることで、サンプルチップ２００を新たなサンプルチップ２００と交換することが可能となっている。
【００５３】
接続選択手段１２０は、接続される電極を第１電源１０２に接続するか、第２電源１０３に接続するかを選択することができるスイッチ１２１を備えた装置である。接続選択手段１２０は、下方に突出した接続子をサンプルチップ２００の端子２０３に対応した数だけ備えている。また、接続選択手段１２０は、サンプルチップ２００に対し離接することができ、接続選択手段１２０とサンプルチップ２００とが接した状態では、各接続子１２３と端子２０３とが電気的に接続される。つまり、接続選択手段１２０と電極２０２とが接続される。
【００５４】
スイッチ１２１は、それぞれの接続子１２３に対応して設けられており、接続されている接続子１２３と第１電源１０２とを接続するか、前記接続子１２３と第２電源１０３とを接続するかを選択することが可能となっている。
【００５５】
また、接続選択手段１２０は、図示しない制御装置と接続されており、制御装置からの命令を受信することでスイッチ１２１が設定され、接続子１２３と接続される電源が制御装置によって選択されるものとなっている。
【００５６】
次に、上記試料堆積装置１００を用いた試料堆積方法を説明する。
【００５７】
図４は、試料の堆積状態の各段階を、拡大率を変えて一度に示した概念図である。
【００５８】
まず、所定の試料が充填されたキャピラリ１０１を試料堆積装置１００に取り付ける。
【００５９】
次に、第６電源１１２を駆動し、棒電極１１１を介して試料を負に帯電させる（帯電ステップ）。
【００６０】
また、試料堆積装置１００の各部とサンプルチップ２００の電極２０２に電位を与え、電場を形成する。具体的には、サンプルチップ２００の所定の領域に対応する電極２０２（同図中に示すサンプルチップ２００の最も左の電極）に、帯電している試料の極性と逆の極性である正の電位を印加する（逆極性電位印加ステップ）。前記電位の印加は第１電源１０２を用い、接続選択手段１２０を介して行われる。付与する電位は接地電位を０Ｖとした場合、２０Ｖ以上、３ＫＶ以下の範囲から選定する。２０Ｖ未満だと、電極２０２が帯電した試料を引き寄せる能力が著しく低下し、所定の領域に試料が堆積しなくなる。３ＫＶより高くすると、異常放電の発生確率が高くなるからである。なお、電極２０２に印加する電位は、隣り合う電極２０２に印加される電位と電極間距離に依存する。
【００６１】
また、サンプルチップ２００の前記領域に対応する前記電極２０２と隣り合う電極２０２、および、隣り合う電極２０２の右側にある全ての電極２０２に、交流の電位を印加する（忌避電位印加ステップ）。前記電位の印加は第２電源１０３を用い、接続選択手段１２０を介して行われる。試料を堆積しない領域に存在する電極２０２に交流の電位を印加することにより、試料の堆積を忌避することが可能となる。これは、試料の空間中の移動速度と交流電位の周波数とを勘案すれば、電極２０２は交流電位の平均値（電位０Ｖ）が印加されているとみなすことができると思われる。従って、正の電位が印加されている電極２０２と比べると、交流電位が印加されている電極２０２の電位の方が試料の極性に近くなり、試料の堆積を忌避できるものと考えている。また、交流の電位を印加することで、他の電極との放電を抑止することができる効果も享受することができる。なお、正の電位が印加されている電極２０２以外の電極２０２を接地した場合、負の試料が当該電極２０２に近づくと電極２０２表面に正の電荷が現れるため、試料の忌避効果に乏しく、放電を抑止することも困難となる。
【００６２】
第２電源が電極２０２に与える交流電圧は、実効値で５Ｖ以上、１ＫＶ以下の範囲が望ましい。５Ｖ未満であると試料を忌避する効果が望めない。１ＫＶより大きいと、試料を忌避する効果の向上を望めなくなり、絶縁破壊が発生する可能性が高くなる。また、周波数は２０Ｈｚ以上、５０ＫＨｚ以下が望ましい。２０Ｈｚ未満であると、試料の付着を完全に忌避することを望めない。５０ＫＨｚより高いと、忌避効果の向上は望みにくく、ノイズが発生して他への悪影響が懸念されるからである。
【００６３】
なお、第２電源１０３が印加する電位は試料と同極性の電位、つまり、負の直流電位でも構わない。
【００６４】
さらに、第３電源を用い、誘導部材１０４に負の電位を与える。第４電源１０７を用い、収束部材１０６に負の電位を与える。さらに、第５電源を用い、チャンバ１０８に負の直流電位を与える。
【００６５】
以上のようにして試料堆積装置１００内に電場を形成した後、キャピラリ１０１に圧縮空気を送って、試料を噴霧する（噴霧ステップ）。
【００６６】
噴霧された試料は、同図の上段に示すように、帯電した小さな粒となって乱雑に散らばるが、誘導部材１０４が形成する電場（電気力線）によって、サンプルチップ２００の所定領域に向かうように誘導される。
【００６７】
誘導された試料の粒は、さらに、収束部材１０６によって収束される（同図中段）。
【００６８】
最後に、試料は、逆極性の電圧が印加された電極２０２に吸引されサンプルチップ２００の所定領域に堆積する（同図下段）。
【００６９】
ここで、収束部材１０６とサンプルチップ２００との距離は、従来のサンプルチップとマスクとの距離に比べ十分に長い。従って、収束部材１０６によって収束した試料は、サンプルチップ２００に到達するため相当の時間を要する。そしてこの時間に試料は均等に飛翔するようになり、サンプルチップ２００へは、均一に堆積することとなる。
【００７０】
以上の装置、方法を採用することにより、サンプルチップ２００上の所定の領域に試料を均一に堆積することが可能となる。
【００７１】
次に、他の種類の試料が充填されたキャピラリ１０１に交換し、ＸＹステージ１３５でサンプルチップ２００を次の試料が堆積される領域が収束部材１０６の中心に来るように移動する。
【００７２】
以上のような工程を繰り返すことにより、サンプルチップ２００上には種類の異なる複数の試料が堆積することになる。
【００７３】
なお、本実施の形態では、誘導部材１０４と収束部材１０６とを用いたが、本願発明は、必ずしも誘導部材１０４と収束部材１０６とを必要とするわけではない。つまり、キャピラリ１０１から帯電した試料を噴霧し、サンプルチップ２００の所定の領域に対応する電極に帯電した試料と逆極性の電位を付与し、その他の電極に交流、または、同極性の電位を付与することで、サンプルチップ２００上の所定の領域に試料を均一に堆積することが可能となる。誘導部材１０４と収束部材１０６とは前記効果をより高めるためのものであり、特に所定の領域が微小な場合、その効果を発揮する。
【００７４】
また、図５に示すように、サンプルチップ２００が備える電極２０２が矩形の場合、図６に示すように、誘導部材１０４、収束部材１０６を電極２０２の形状に対応した矩形で構成すれば、電極２０２の形状に対応した形状で試料を堆積することが可能となる。
【００７５】
また、図７に示すように、複数のキャピラリ１０１を備えたマルチキャピラリとすれば、キャピラリを交換する手間が減少する。なお、いずれのキャピラリ１０１から試料を噴霧するかは、開閉弁１３３を選択することにより実行することができる。また、試料の帯電は、キャピラリ１０１を導体で構成し、キャピラリ１０１自体に電位を印加することで行うことが可能である。
【００７６】
また、試料堆積装置１００を次のような電位状態とすることが好ましい。
【００７７】
すなわち、サンプルチップ２００の電極２０２に２０Ｖ以上、３ＫＶ以下から選定される電位を印加する。この場合の極性（＋、−）はいずれでも良いが、ここでは性の極性（＋）を印加するものとして説明する。収束部材１０６を接地する。誘導部材１０４を接地する。キャピラリ１０１を接地する。なお、接地とは、キャピラリ１０１等を直接アースと接続しても良い。また、電源を介してキャピラリ１０１等とアースとを接続し、キャピラリ１０１等を０Ｖ（接地電位）に維持するものでも良い。
【００７８】
以上により、サンプルチップ２００の電極２０２は正の極性になり、その他の部材は、０Ｖ（接地電位）となる。また、キャピラリ１０１も同様に電位は０Ｖとなるが、サンプルチップ２００の電極２０２の正の極性に誘導され、キャピラリ１０１には負の電荷が誘導される。
【００７９】
従って、キャピラリ１０１から吐出される試料は、負に帯電し、サンプルチップ２００の電極２０２に向かって飛行する。
【００８０】
このような電位状態とすれば、試料堆積装置１００の多くの部分が接地電位となるため、異常放電が発生しにくく安定した状態で安全に試料を堆積することが可能となる。
【００８１】
また、図８に示すように、試料堆積装置１００が一連に配置され、ローダ２１１と、アンローダ２１２とを備えるインライン式堆積装置を構成しても構わない。これにより、サンプルチップ２００を製造するスループットを向上させることが可能となる。なお、試料堆積装置１００の配置は、一直線ばかりでなく、円形に配置しても構わない。
【００８２】
なお、上記実施の形態では、接地電位を０Ｖとし、これを基準に極性を決めていたが、本発明はこれに限定されるわけではない。例えば接地電位から所定の電圧分バイアスをかけた電位を基準に極性を決定しても構わない。
【産業上の利用可能性】
【００８３】
本発明は、マイクロアレイの製造に利用可能である。
【図面の簡単な説明】
【００８４】
【図１】試料堆積装置を概略的に示す、一部破断して示す断面図である。
【図２】サンプルチップを概念的に示す図であり、（ａ）は上面図、（ｂ）は正面図である。
【図３】サンプルチップと接続選択手段とを概念的に示す正面図であり、（ａ）は外観図、（ｂ）は回路図である。
【図４】試料の堆積状態の各段階を、拡大率を変えて一度に示した概念図である。
【図５】他の種類のサンプルチップを概念的に示す図であり、（ａ）は上面図、（ｂ）は正面図である。
【図６】試料堆積装置の他の実施の形態を示す斜視図である。
【図７】試料堆積装置の他の実施の形態を概略的に示す、一部破断して示す断面図である。
【図８】インライン式の試料堆積装置を概念的に示す正面図である。
【図９】従来のマスクを用いた試料の堆積状態を示す概念図である。
【符号の説明】
【００８５】
１００  試料堆積装置
１０１  キャピラリ
１０２  第１電源
１０３  第２電源
１０４  誘導部材
１０５  第３電源
１０６  収束部材
１０７  第４電源
１０８  チャンバ
１０９  第５電源
１１０  電荷付与手段
１１１  棒電極
１１２  第６電源
１２０  接続選択手段
１２１  スイッチ
１２３  接続子
１３１  ポンプ
１３２  圧力調整手段
１３３  開閉弁
１３５  ＸＹステージ
２００  サンプルチップ
２０１  基板
２０２  電極
２０３  端子
２０４  接続部
２１１  ローダ
２１２  アンローダ
【図１】
0004880540.tif 000002
【図２】
0004880540.tif 000003
【図３】
0004880540.tif 000004
【図４】
0004880540.tif 000005
【図５】
0004880540.tif 000006
【図６】
0004880540.tif 000007
【図７】
0004880540.tif 000008
【図８】
0004880540.tif 000009
【図９】
0004880540.tif 000010